(57)【特許請求の範囲】
【請求項１】
錠剤を収容するための複数の膨出部、前記膨出部が配置された領域とは異なる領域に配置されたパッケージ端子群、及び、前記パッケージ端子群に接続されたパッケージ回路を含むパッケージ体と、
第１部品及び第２部品を有し、前記第１部品と前記第２部品との間で前記パッケージ体の前記パッケージ端子群を含む領域を挟むモジュール体と、
を備え、
前記第１部品は、前記パッケージ端子群と接続可能なモジュール端子群と、このモジュール端子群に接続された情報処理部と、前記第１部品と前記第２部品との間に前記パッケージ体を挿入する際に前記パッケージ体を案内するためのガイド壁および前記パッケージ体の位置決めを行う位置決めガイドと、を有し、
前記第１部品または前記第２部品に、前記第１部品との間で前記パッケージ体を前記第１部品に固定する固定用レバーを揺動自在に設けた、錠剤管理装置。
【請求項２】
前記ガイド壁は、一対の側ガイド部を含み、
前記パッケージ体は、前記一対の側ガイド部の間に配置された状態で、前記モジュール体に保持される、請求項１に記載の錠剤管理装置。
【請求項３】
前記パッケージ体は、中心線からずれた方向に切欠部を有し、前記第１部品は前記切欠部に係合する係合リブを有する請求項１に記載の錠剤管理装置。
【請求項４】
前記固定用レバーにマグネットを設け、前記情報処理部は、前記マグネットにより作動するマグネットスイッチを有する、請求項１乃至３いずれか記載の錠剤管理装置。
【請求項５】
前記第１部品に、前記第１部品および前記第２部品に挟まれた前記パッケージ体を外方から覆うカバー部品を揺動自在に設けた、請求項１乃至４のいずれか記載の錠剤管理装置。
【請求項６】
前記第１部品および前記第２部品に、前記第１部品および前記第２部品に挟まれた前記パッケージ体を外方から覆うカバー部品を差し込み自在に設けた、請求項１乃至４のいずれか記載の錠剤管理装置。
【発明の詳細な説明】
【技術分野】
【０００１】
本発明は、収容した錠剤を管理する錠剤管理装置に関する。
【背景技術】
【０００２】
複数の錠剤を収容し、収容した錠剤の利用状況を管理するモジュール付パッケージが利用に供されている（特許文献１乃至３参照）。例えば、特許文献１乃至３に示すモジュール付パッケージでは、複数の錠剤を収容するパッケージ体を有し、このパッケージ体は、電子部品を収容したモジュール体に装着されている。パッケージ体から錠剤が取り出されると、この取り出しの情報がパッケージ体に配置されたパッケージ回路にて検出され、パッケージ回路からモジュール体に送られるようになっている。錠剤の取り出しの情報を管理することにより、服用による治療効果を期待された通りに得ることに大きく貢献する。
【０００３】
特許文献１乃至３に示すモジュール付パッケージは、パッケージ体とモジュール体とが一体になっている。この場合、錠剤がなくなるとモジュール体ごと廃棄せねばならなく、経済的ではない。そこで、特許文献４に示すように、パッケージ体とモジュール体とを分離可能に構成したモジュール付パッケージの開発も進められている。
【先行技術文献】
【特許文献】
【０００４】
【特許文献１】特開２０１４−１７６５９７号公報
【特許文献２】特開２０１３−３１６３８号公報
【特許文献３】特開２００１−７０４０４号公報
【特許文献４】特開平２−２５７９６０号公報
【発明の概要】
【発明が解決しようとする課題】
【０００５】
パッケージ体とモジュール体とを分離可能に構成した場合、パッケージ体のみを交換してモジュール体を繰り返し使用することができるため、経済的である。しかしながら、パッケージ体の交換は、通常錠剤を服用する患者によって行われるため、新たなパッケージ体をモジュール体に正しく装着しかつしっかりと固定できないケースが見受けられる。パッケージ体をモジュール体に正しく装着できないと、パッケージ体に配置された回路からの情報をモジュール体に伝えることができず、錠剤の取り出しの情報を管理することができなくなる。
【０００６】
本発明は、このような点に鑑みてなされたものであり、パッケージ体を交換する際に新たなパッケージ体をモジュール体により確実に取り付けることが可能な錠剤管理装置を提供することを目的とする。
【課題を解決するための手段】
【０００７】
本発明は、錠剤を収容するための複数の膨出部、前記膨出部が配置された領域とは異なる領域に配置されたパッケージ端子群、及び、前記パッケージ端子群に接続されたパッケージ回路を含むパッケージ体と、第１部品及び第２部品を有し、前記第１部品と前記第２部品との間で前記パッケージ体の前記パッケージ端子群を含む領域を挟むモジュール体と、を備え、前記第１部品は、前記パッケージ端子群と接続可能なモジュール端子群と、このモジュール端子群に接続された情報処理部と、前記第１部品と前記第２部品との間に前記パッケージ体を挿入する際に前記パッケージ体を案内するためのガイド壁および前記パッケージ体の位置決めを行う位置決めガイドと、を有し、前記第１部品または前記第２部品に、前記第１部品との間で前記パッケージ体を第１部品に固定する固定用レバーを揺動自在に設けた、錠剤管理装置である。
【０００８】
本発明は、前記ガイド壁は、一対の側ガイド部を含み、前記パッケージ体は、前記一対の側ガイド部の間に配置された状態で、前記モジュール体に保持される、錠剤管理装置である。
【０００９】
本発明は、前記パッケージ体は,中心線からずれた方向に切欠部を有し,前記第１部品は前記切欠部に係合する係合リブを有する、錠剤管理装置である。
【００１０】
本発明は、前記固定用レバーにマグネットを設け、前記情報処理部は、前記マグネットにより作動するマグネットスイッチを有する、錠剤管理装置である。
【００１１】
本発明は、前記第１部品に、前記第１部品および前記第２部品に挟まれた前記パッケージ体を外方から覆うカバー部品を揺動自在に設けた、錠剤管理装置である。
【００１２】
本発明は、前記第１部品および前記第２部品に、前記第１部品および前記第２部品に挟まれた前記パッケージ体を外方から覆うカバー部品を差し込み自在に設けた、錠剤管理装置である。
【発明の効果】
【００１３】
本発明による第１の錠剤管理装置によれば、パッケージ体を交換する際に、第１部品と第２部品との間に挿入される新たなパッケージ体をガイド壁によって案内し、かつ位置決めガイドにより正しく位置決めすることができる。このため、新たなパッケージ体を適切な装着位置に装着することができ、またパッケージ体を固定レバーによって堅固に固定することができる。この結果、新たなパッケージ体をモジュール体により確実に装着することが可能となる。
【図面の簡単な説明】
【００１４】
【図１Ａ】図１Ａは第１の実施の形態に係る錠剤管理装置を示す分解斜視図。
【図１Ｂ】図１Ｂは第１部品と情報処理基板を示す側面図。
【図２】図２は錠剤管理装置のカバー部品を開いた状態を示す斜視図。
【図３】図３は錠剤管理装置のカバー部品を閉じた状態を示す斜視図。
【図４】図４は錠剤管理装置を構成するパッケージ体を示す平面図。
【図５】図５は錠剤管理装置を構成するパッケージ体の表側を示す展開図。
【図６】図６はパッケージ体を構成する錠剤シートを示す平面図。
【図７】図７はパッケージ体の裏側を示す展開図。
【図８】図８はモジュール体に収納される情報処理基板を示すブロック図。
【図９】図９は第２の実施の形態に係る錠剤管理装置を示す斜視図。
【図１０】図１０はカバー部品を取外した状態を示す斜視図。
【図１１】図１１はカバー部品を装着した状態を示す斜視図。
【発明を実施するための形態】
【００１５】
＜第１の実施の形態＞
以下、図面を参照して本発明の第１の実施の形態について説明する。なお、本件明細書に添付する図面においては、図示と理解のしやすさの便宜上、適宜縮尺および縦横の寸法比等を、実物のそれらから変更し誇張してある。図１Ａ乃至図８は、第１の実施の形態を説明するための図である。このうち、図１Ａは、第１の実施の形態に係る錠剤管理装置１を示す分解斜視図、図１Ｂは第１部品５０と情報処理基板（情報処理部）８０を示す側面図である。
【００１６】
図１Ａおよび図１Ｂに示す錠剤管理装置１は、錠剤の利用に関する情報を管理するモジュール付パッケージである。錠剤管理装置１は、複数の錠剤を収容するパッケージ体２と、このパッケージ体２が装着されるとともに、電子部品を収容したモジュール体５とを備えている。パッケージ体２から錠剤が取り出されると、この取り出しの情報がパッケージ体２に配置されたパッケージ回路１３（図５参照）にて検出され、検出信号がパッケージ回路１３からモジュール体５に送られるようになっている。
【００１７】
とりわけ、図１Ａに示すパッケージ体２は、モジュール体５に着脱可能に保持されている。この場合、パッケージ体２内の錠剤がなくなると、使用済みのパッケージ体２を新たなパッケージ体２と交換すればモジュール体５を繰り返し使用することができるため、経済的である。しかしながら、パッケージ体２の交換は、通常患者によって行われるため、新たなパッケージ体２をモジュール体５に正しく装着できないおそれがある。そこで、本実施の形態の錠剤管理装置１は、パッケージ体２を交換する際に、新たなパッケージ体２をモジュール体５に確実に取り付けることができるような工夫がなされている。以下、このように構成された錠剤管理装置１を構成する各構成要素について説明する。
【００１８】
先ず、図４乃至図８を参照して、錠剤を収容するパッケージ体２について説明する。図４は、パッケージ体２を示す平面図である。図４に示すように、パッケージ体２は、錠剤Ｍを収容するための複数、例えば１０個の膨出部１１と、後述するパッケージ回路１３とを含む収容領域１０と、収容領域１０に接続された後述するパッケージ端子群２１を含む取付領域２０と、を含んでいる。収容領域１０に収容される錠剤Ｍとしては、医薬品として用いられるものや健康食品として用いられるものが挙げられる。本実施の形態では、錠剤として、医薬品としての錠剤Ｍが収容されている。なお、錠剤とは、カプセルやタブレットとも呼ばれ得るものを含む概念である。
【００１９】
パッケージ体２は、パッケージ端子群２１と、このパッケージ端子群２１に接続されたパッケージ回路１３が形成された第１面６と、第１面６上に重ね合わされる第２面７と、第２面２上に錠剤シート１１Ａを介して重ね合わされる第３面（保護部材）８とを有する積層構造となっている（図５乃至図８参照）。このように第２面７と第３面９との間に、錠剤Ｍを収納する膨出部１１が形成された錠剤シート１１Ａ（図５（ｂ）参照）が挿着されて、積層構造をもつパッケージ体２が得られる。
【００２０】
パッケージ体２の第１面６には、つなぎを有した破断線６ａにより囲まれるとともに膨出部１１に対応する１０個の破断領域６ｂが形成され、パッケージ回路１３は破断領域６ｂ上を通る複数の分岐１３ａと有する。
【００２１】
また第２面７には、破断線７ａにより囲まれるとともに膨出部１１に対応する１０個の破断領域７ｂが形成されている。また第２面７には、第１面６に形成されたパッケージ端子群２１を保護する保護部材８が取付けられている。この保護部材８の両端には摘み８ａが設けられている。
【００２２】
さらに第３面９には膨出部１１に対応して、１０個の開口９ａが形成されている。
【００２３】
ここで、第１面６と第２面７は折曲線３Ａを介して接続され、第１面６と第３面９は折曲線３Ｂを介して接続され、第２面７と保護部材８は切断線３Ｃを介して接続されている。
【００２４】
図５乃至図８に示すように、このような構成からなるパッケージ体２は、第１面６上に第２面７を重ね合わせ、第２面７上に錠剤シート１１Ａを載せ、次に錠剤シート１１Ａ上に第３面９を重ね合わせることにより作製される。
【００２５】
上述のように、パッケージ体２の収容領域１０には、パッケージ回路１３が配置されている。パッケージ回路１３は、膨出部１１から錠剤が取り出された情報を検出するための回路である。パッケージ回路１３は、取付領域２０に配置されたパッケージ端子群２１に接続されている。
【００２６】
本実施の形態では、パッケージ回路１３は、パッケージ体２の第１面６のうち、破断領域６ｂに掛け渡された複数の分岐１３ａを含み、パッケージ端子群２１は、パッケージ体２の幅方向ｗｄに並べられた複数の端子２１ａを含んでいる。パッケージ端子群２１の各端子２１ａは、対応するパッケージ回路１３の分岐１３ａに接続される。この場合、錠剤を取り出すべく第１面６の破断領域６ｂが突き破られると、膨出部１１を覆う第１面６の部分に掛け渡された分岐１３ａが断線する。この断線した情報が、パッケージ端子群２１の対応する端子２１ａに電気信号として伝わることにより、膨出部１１から錠剤が取り出された情報を検出するようになっている。またパッケージ体２の取付領域２０には、パッケージ体２の中心線Ｌから左方にずれて切欠２２が設けられている。
【００２７】
このようなパッケージ体２は、モジュール体５に取り外し可能に装着される。次に、モジュール体５について述べる。モジュール体５は、図１乃至図３に示すように、互いに嵌合される第１部品５０と、第２部品６０とを備えている。このうち第１部品５０は上述したパッケージ体２のパッケージ端子群２１を含む取付領域２０を第２部品６０との間で挟持する部品である。
【００２８】
このように、第１部品５０はパッケージ体２を支持する部品として機能し、第２部品６０はパッケージ体２の取付領域２０を覆う部品として機能する。
【００２９】
さらにまた、第１部品５０のうち、第２部品６０との接続部分と反対側に、第１部品５０および第２部品６０に挟まれたパッケージ体２を覆うカバー部品７０が第１部品５０に対して揺動自在に設けられている。
【００３０】
次に図１Ａ乃至図３により、モジュール体５について更に述べる。  
モジュール体５の第１部品５０は第２部品６０との間でパッケージ体２の取付領域２０を狭持するものであり、またカバー部品７０はパッケージ体２を外方から覆うものである。
【００３１】
このうち、図１Ａおよび図１Ｂに示すように第１部品５０には、第２部品６０との間でパッケージ体２を挟持した状態においてパッケージ端子群２１と接続可能なモジュール端子群８５と、このモジュール端子群８５に接続された情報処理基板（情報処理部）８０とが設けられている。このモジュール端子群８５および情報処理基板８０は、第１部品５０に図示しない支持台を介して設置され、部品本体５１とモジュール端子群８５および情報処理基板８０との間に、パッケージ体２のパッケージ端子群２１を含む取付領域２０が挿入される挿入空間Ｓが形成されている。そして部品本体５１とモジュール端子群８５および情報処理基板８０との間の挿入空間Ｓ内にパッケージ体２のパッケージ端子群２１を含む取付領域２０を挿入することにより、取付領域２０を部品本体５１と第２部品６０との間で狭持することができ、この場合、パッケージ端子群２１とモジュール端子群８５とを接続することができる。
【００３２】
また、第１部品５０には、上述したパッケージ体２の取付領域２０に設けられた切欠２２に係合する係合リブ５４が設けられている。そして図２において、パッケージ体２の取付領域２０を第１部品５０と第２部品６０との間に挿入させ、取付領域２０を第１部品５０と第２部品６０との間で狭持することができる。この場合、第１部品５０の係合リブ５４がパッケージ体２の取付領域２０に設けられた切欠２２に係合する。
【００３３】
上述のように、パッケージ体２の切欠２２および部品本体５１の係合リブ５４はパッケージ体２および第１部品５０の中心線Ｌからわずかにずれているため、第１部品５０に対してパッケージ体２を表裏が逆の状態で載置した場合、切欠２２と係合リブ５４とが係合することはない。このためパッケージ体２の表裏を正して合わせてパッケージ体２を第１部品５０上に載置することができる。
【００３４】
次に図１Ａにより、第１部品５０について更に述べる。第１部品５０は部品本体５１を有し、この部品本体５１の表面には、パッケージ体２の取付領域２０の両側縁を案内する一対の側ガイド部５２ａ、５２ｂが設けられている。そして、この一対の側ガイド部５２ａ、５２ｂはガイド壁を構成する。なお、ガイド壁は、一方の側ガイド部、例えば、側ガイド部５２ａのみからなっていてもよい。さらに部品本体５１の表面には、パッケージ体２の取付領域２０の先端に当接してパッケージ体２の位置決めを行う位置決めガイド５２ｃが設けられている。
【００３５】
さらに、部品本体５１の表面には、パッケージ体２の取付領域２０の切欠２２に係合する係合リブ５４が取付けられている。
【００３６】
ところで、図１Ａに示すように、第１部品５０と第２部品６０は、第１部品５０の図１Ａの左端側において、互いに連結され、第１部品５０と第２部品６０は第１部品の図１Ａの右端側においてパッケージ体２の取付領域２０が挿入される挿入口を形成する。
【００３７】
またカバー部品７０は第１部品５０の部品本体５１の両端部に設けられた突起５５をカバー部品７０の側面に設けられた開口７５内に嵌合させることにより、第１部品５０に揺動可能に取付けられている。
【００３８】
このカバー部品７０は第１部品５０に対して揺動して閉となり、第１部品５０と第２部品６０との間に挟まれたパッケージ体２を外方から覆う（図３参照）。あるいは第１部品５０に対してカバー部品７０が開となり、第１部品５０と第２部品６０との間に挟まれたパッケージ体２を開放する（図２参照）。
【００３９】
さらに、第１部品５０に、この第１部品５０との間でパッケージ体２の取付領域２０を挟持して固定する固定用レバー９０が取付けられている。
【００４０】
固定用レバー９０は、一対の揺動レバー９０Ａと、一対の揺動レバー９０Ａ間に延びる押圧レバー９０Ｂとを有し、各揺動レバー９０Ａの内面に突起９６が設けられている。この突起９６を第１部品５０の側面に形成された凹部５６および第２部品６０の側面に形成された凹部６６内に嵌込むことにより、固定用レバー９０は第１部品５０および第２部品６０に対して揺動する。
【００４１】
なお、固定用レバー９０を第１部品５０および第２部品６０の双方に取付けた例を示したが、固定用レバー９０を第１部品５０または第２部品６０のいずれか一方に揺動自在に取付けてもよい。
【００４２】
そして図１Ａおよび図２に示すように、固定用レバー９０を第１部品５０および第２部品６０に対して揺動させて閉とすることにより、押圧レバー９０Ｂと第１部品５０との間でパッケージ体２の取付領域２０を挟持して固定することができる。
【００４３】
また、固定用レバー９０の押圧レバー９０Ｂの中央部に、マグネット９５が取付けられている。他方、第１部品５０に取付けられた情報処理基板８０は、押圧レバー９０Ｂに取付けられたマグネット９５が接近した際作動して作動信号を出力するマグネットスイッチ８７を有する。すなわち、固定用レバー９０を第１部品５０および第２部品６０に対して揺動させて、押圧レバー９０Ｂと第１部品５０との間でパッケージ体２の取付領域２０を挟持して固定する場合、マグネット９５がマグネットスイッチ８７に接近する。この時、マグネットスイッチ８７から検出信号が出力される。
【００４４】
ところでモジュール端子群８５は、第１部品５０の部品本体５１と第２部品６０との間でパッケージ体２を挟んだ状態においてパッケージ端子群２１と接続される。
【００４５】
本明細書において、モジュール端子群８５がパッケージ端子群２１と接続されるとは、モジュール端子群８５とパッケージ端子群２１とが端子間で電子情報のやりとりを行うことをいう。したがって、モジュール端子群８５の各端子が、直接的または間接的に対応するパッケージ端子群２１の端子２１ａと接触して導通する例に限定されず、モジュール端子群８５とパッケージ端子群２１とが、物理的に接触せずに端子間で電子情報のやりとりを行ってもよい。かかるモジュール端子群８５とパッケージ端子群２１との非接触式の接続として、誘電作用による渦電流を利用して端子間で電子情報のやりとりを行ってもよい。
【００４６】
このように、パッケージ回路１３にて検出された錠剤の取り出しに関する情報は、パッケージ端子群２１からモジュール端子群８５に伝わる。モジュール端子群８５に伝わった情報は、第１部品５０に設けられた情報処理基板８０によって処理される。図８に、第１部品５０に設けられた情報処理基板８０の構成をブロック図として示す。
【００４７】
情報処理基板８０は、薄膜状の機器である。図８に示す情報処理基板８０は、例えば、第１部品５０内に実装されるＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）８１と、水晶振動子８２と、ボタン電池８３と、スピーカ８４と、を有している。また情報処理基板８０は、固定用レバー９０のマグネット９５が接近したときに作動するマグネットスイッチ８７を有する。
【００４８】
ＡＳＩＣ８１は、モジュール端子群８５に接続され、パッケージ端子群２１からモジュール端子群８５を介して錠剤を取り出した情報を受け取る。ＡＳＩＣ８１は、この受け取った情報を時刻情報とともに時系列で記憶し、記憶した情報に関して不図示のホストコンピュータとの間で無線通信を行う。ＡＳＩＣ８１がホストコンピュータとの間で行う無線通信として、例えば、いわゆるＮＦＣ（Ｎｅａｒ  Ｆｉｅｌｄ  Ｃｏｍｍｕｎｉｃａｔｉｏｎ、近接無線通信）やＢｌｕｅｔｏｏｔｈ（登録商標）の非接触通信が挙げられる。ＡＳＩＣ８１がホストコンピュータとの間で無線通信を行うことにより、利用者の健康に関する情報をホストコンピュータ側で把握し一元的に管理することができる。
【００４９】
ＮＦＣでは、規格上電力の送受もできるため、電池なしで情報処理基板８０を駆動することも原理的には可能である。ただし、本実施形態の情報処理基板８０は、スピーカ８４も備えており、電力の消費量が比較的大きいため、ボタン電池８３を搭載している。なお、ボタン電池８３は、第１部品５０から取り外されて、新たなボタン電池８３に交換可能になっている。また、マグネット９５が接近したときに作動するマグネットスイッチ８７からの検出信号はＡＳＩＣ８１へ送られる。
【００５０】
次に、このような構成からなる錠剤管理装置１の利用方法の一例について説明する。  
まず図２に示すように、カバー部品７０が第１部品５０および第２部品６０に対して開となっている。次にパッケージ体２の取付領域２０を第１部品５０と第２部品６０との間に挿入する。この場合、予め摘み８ａを引張ることによりパッケージ体２のパッケージ端子群２１を保護する保護部材８が切断線３Ｃを介して第２面７から取外されており、パッケージ体２の取付領域２０が第１部品５０と第２部品６０との間で挿入されると、パッケージ体２のパッケージ端子群２１が部品本体５１のモジュール端子群８５に接続される。次に固定用レバー９０が第１部品５０および第２部品６０に対して揺動して閉となり、固定用レバー９０の押圧レバー９０Ｂと第１部品５０との間でパッケージ体２の取付領域２０が挟持されて固定される。このときマグネット９５がマグネットスイッチ８７に接近してマグネットスイッチ８７が作動し、マグネットスイッチ８７からの検出信号がＡＳＩＣ８１へ送られる。ＡＳＩＣ８１はマグネットスイッチ８７からの検出信号に基づいて、固定用レバー９０によりパッケージ体２が正しく固定されたと判断する。
【００５１】
このような構成からなる錠剤管理装置１は、例えば通院中の患者によって利用される。
【００５２】
利用者は、食後や決まった時間帯にパッケージ体２に収容された錠剤を取り出して服用する。パッケージ体２の膨出部１１が押圧される。このとき、錠剤Ｍにより第１面６の破断領域６ｂおよび第２面７の破断領域７ｂが突き破られると、パッケージ回路１３の配線が断線し、この断線した情報が、収容空間１２から錠剤が取り出された情報を示す電気信号としてパッケージ端子群２１からモジュール端子群８５に伝わる。モジュール端子群８５に伝わった信号は、情報処理基板８０のＡＳＩＣ８１で処理される。そして錠剤Ｍは第１面６の破断領域６ｂおよび第２面７の破断領域７ｂを突き破って、外方へ放出される。
【００５３】
服用を繰り返し、パッケージ体２内の錠剤がなくなると、使用済みのパッケージ体２を新たなパッケージ体２に交換する必要が生じる。新たなパッケージ体２に交換する際には、先ず、固定用レバー９０を第１部品５０および第２部品６０に対して揺動させて固定用レバー９０の押圧レバー９０Ｂをパッケージ体２の取付領域２０から引離す。その後、使用済みのパッケージ体２を第１部品５０および第２部品６０の間から取り外す。
【００５４】
次に上述と同様の作用を繰り返して、パッケージ体２の取付領域２０を第１部品５０と第２部品６０との間に挿入する。次に固定用レバー９０を第１部品５０および第２部品６０に対して揺動させて閉とする。このことにより固定用レバー９０の押圧レバー９０Ｂと第１部品５０との間でパッケージ体２の取付領域２０を挟持して固定する。このようにしてモジュール体５にパッケージ体２を装着することができる。
【００５５】
この間、錠剤管理装置１を携帯する場合は、第１部品５０および第２部品６０に対して固定用レバー９０を揺動させて閉とし、次にカバー部品７０を第１部品５０に対して揺動させて閉じる。このことにより、第１部品５０と第２部品６０との間で挟持され、固定用レバー９０により固定されたパッケージ体２をカバー部品７０により効果的に外方から覆って保護することができる。
【００５６】
以上のように本実施の形態によれば、パッケージ体２のうち取付領域２０を第１部品５０と、第２部品６０との間の適切な位置で挟持することができる。またこのように第１部品５０と第２部品６０との間で挟持されたパッケージ体２の取付領域２０を固定用レバー９０の押圧レバー９０Ｂと第１部品５０との間で押圧して固定することができる。さらに固定用レバー９０を閉とした場合、マグネット９５とマグネットスイッチ８７とによって固定用レバー９０の閉鎖状態を検出することができる。
【００５７】
＜第２の実施の形態＞
次に図９乃至図１１により第２の実施の形態について説明する。
【００５８】
図９乃至図１１に示す実施の形態は、パッケージ体２を覆うカバー部品７０を第１部品５０に対して揺動自在に設ける代わりに、パッケージ体２を覆うカバー部品１００を第１部品５０および第２部品６０に対して差し込み自在に設けたものである。
【００５９】
図９乃至図１１に示す第２の実施の形態において、図１乃至図８に示す第１の実施の形態と同一部分には同一符号を付して詳細な説明は省略する。
【００６０】
図９乃至図１１に示すように、第１部品５０と第２部品６０との間にパッケージ体２の取付領域２０が挿入され、この取付領域２０が第１部品５０と第２部品６０との間で挟持される。次に第１部品５０および第２部品６０に対して固定用レバー９０が揺動して閉となり、第１部品５０および第２部品６０の間に挟持されたパッケージ体２を第１部品５０と固定用レバー９０の押圧レバー９０Ｂとの間で押圧して固定する。
【００６１】
次に第１部品５０および第２部品６０に対してカバー部品１００を差し込む。このことにより、パッケージ体２をカバー部品１００により効果的に保護することができる。
【符号の説明】
【００６２】
１  錠剤管理装置
２  パッケージ体
５  モジュール体
１０  収容領域
１１  膨出部
１３  パッケージ回路
２０  取付領域
２１  パッケージ端子群
２２  切欠
５０  第１部品
５１  部品本体
５２ａ、５２ｂ  側ガイド部
５２ｃ  位置決めガイド
５４  係合リブ
６０  第２部品
７０  カバー部品
８０  情報処理基板
８５  モジュール端子群
８７  マグネットスイッチ
９０  固定用レバー
９０Ａ  揺動レバー
９０Ｂ  押圧レバー
９５  マグネット
Ｓ  挿入空間
【図１Ａ】
0006737001.tif 000002
【図１Ｂ】
0006737001.tif 000003
【図２】
0006737001.tif 000004
【図３】
0006737001.tif 000005
【図４】
0006737001.tif 000006
【図５】
0006737001.tif 000007
【図６】
0006737001.tif 000008
【図７】
0006737001.tif 000009
【図８】
0006737001.tif 000010
【図９】
0006737001.tif 000011
【図１０】
0006737001.tif 000012
【図１１】
0006737001.tif 000013